(57)【特許請求の範囲】
【請求項１】
複数の外部機器と通信するための複数の通信線が各々接続される端子台と、この端子台を収容する筐体とを備えたインターホンにおいて、
前記外部機器の各々との通信方式には、互いに異なるものが含まれ、
前記端子台は、互いに離間して複数配置されており、前記複数の通信線は、前記筐体内において互いに干渉しないように分離して配置されており、
前記筐体は、電源部及び前記端子台が配置された基板を有したベース側と、スピーカ、操作部及びそれらを駆動させる回路が実装された基板を有して前記ベース側に組み合わされるカバー側とに分割され、
前記ベース側の基板に配置された電源部を、前記ベース側基板と対向するカバー側の基板に実装された回路部品の位置まで覆う絶縁カバーを備え、この絶縁カバーは、ベース側とカバー側の筐体が組み合わされたとき、前記端子台に接続された通信線を前記電源部周辺からブロックすることを特徴とするインターホン。
【請求項２】
複数の外部機器と通信するための複数の通信線が各々接続される端子台と、この端子台を収容する筐体とを備えたインターホンにおいて、
前記外部機器の各々との通信方式には、互いに異なるものが含まれ、
前記端子台は、互いに離間して複数配置されており、前記複数の通信線は、前記筐体内において互いに干渉しないように分離して配置されており、
前記複数の端子台の内の１つは、前記筐体内に設けられた前記端子台用基板の裏面に配置され、他の端子台は端子台用基板の表面に配置されており、
前記筐体の底部には通信線の通る開口が形成され、前記複数の通信線の内の１つを前記筐体の外側から配線するとこを特徴とするインターホン。
【請求項３】
前記各端子台は、前記筐体内において互いに対角位置となるように配置されることを特徴とする請求項１又は請求項２に記載のインターホン。
【請求項４】
前記筐体の内側面に前記通信線を引っ掛ける構造を有していることを特徴とする請求項１乃至請求項３のいずれか一項に記載のインターホン。
【請求項５】
前記複数の端子台の間に、通信線を分離するための壁部が配置されていることを特徴とする請求項１乃至請求項３のいずれか一項に記載のインターホン。
【請求項６】
前記筐体内に配線される電源線と前記通信線との間に隔壁が設けられていることを特徴とする請求項１乃至請求項５のいずれか一項に記載のインターホン。
【発明の詳細な説明】
【技術分野】
【０００１】
本発明は、室内の壁に取り付けて使用されるインターホンに関する。
【背景技術】
【０００２】
従来、この種のインターホンとして、複数の外部機器と通信線を介して接続される端子台を筐体内に収容したインターホンが知られている（例えば、特許文献１参照）。このようなインターホンは、外部機器からの通信線が接続される端子台を複数有した端子台ユニットと、この端子台ユニットを収容し壁面に埋め込まれて固定されるベース筐体と、ベース筐体に組み合わされるカバー筐体とを備えている。端子台ユニットは、各端子台が近接して配置され、これら端子台の各々に通信線が接続されるようになっている。なお、カバー筐体には、各種の操作ボタン部、液晶表示部、スピーカが設けられている。
【先行技術文献】
【特許文献】
【０００３】
【特許文献１】特開２００３−６９６８１号公報
【発明の概要】
【発明が解決しようとする課題】
【０００４】
上記のようなインターホンにおいて、外部機器の各々との通信方式には、その距離などに応じて最適な通信方式が用いられるため、互いに異なるものが含まれることがある。このような状況下で、これら通信に使用する周波数帯が同じか又は一部重なりが生じている場合、端子台に接続された通信線同士が互いに近接した状態にあると、通信線間に通信干渉が生じて伝送性能が劣化する虞がある。また、通信線が筐体内に配線された電源線に近接して配置されると、電源ノイズによって通信に悪影響が生じ伝送性能がさらに劣化する。
【０００５】
本発明は、上記問題を解決するためになされたものであり、端子台に接続される通信方式が互いに異なる通信線同士が近接することを防ぎ、通信線同士での通信干渉を低減することができるインターホンを提供することを目的とするものである。
【課題を解決するための手段】
【０００６】
本発明のインターホンは、複数の外部機器と通信するための複数の通信線が各々接続される端子台と、この端子台を収容する筐体とを備えたインターホンにおいて、前記外部機器の各々との通信方式には、互いに異なるものが含まれ、前記端子台は、互いに離間して複数配置されており、前記複数の通信線は、前記筐体内において互いに干渉しないように分離して配置されており、前記筐体は、電源部及び前記端子台が配置された基板を有したベース側と、スピーカ、操作部及びそれらを駆動させる回路が実装された基板を有して前記ベース側に組み合わされるカバー側とに分割され、前記ベース側の基板に配置された電源部を、前記ベース側基板と対向するカバー側の基板に実装された回路部品の位置まで覆う絶縁カバーを備え、この絶縁カバーは、ベース側とカバー側の筐体が組み合わされたとき、前記端子台に接続された通信線を前記電源部周辺からブロックすることを特徴とする。
【０００７】
また、本発明の他のインターホンは、複数の外部機器と通信するための複数の通信線が各々接続される端子台と、この端子台を収容する筐体とを備えたインターホンにおいて、前記外部機器の各々との通信方式には、互いに異なるものが含まれ、前記端子台は、互いに離間して複数配置されており、前記複数の通信線は、前記筐体内において互いに干渉しないように分離して配置されており、前記複数の端子台の内の１つは、前記筐体内に設けられた前記端子台用基板の裏面に配置され、他の端子台は端子台用基板の表面に配置されており、前記筐体の底部には通信線の通る開口が形成され、前記複数の通信線の内の１つを前記筐体の外側から配線するとこを特徴とする。
【０００８】
このインターホンにおいて、前記各端子台は、前記筐体内において互いに対角位置となるように配置されることが好ましい。
【０００９】
このインターホンにおいて、前記筐体の内側面に前記通信線を引っ掛ける構造を有していることが好ましい。
【００１０】
このインターホンにおいて、前記複数の端子台の間に、通信線を分離するための壁部が配置されていることが好ましい。
【００１１】
このインターホンにおいて、前記筐体内に配線される電源線と前記通信線との間に隔壁が設けられていることが好ましい。
【発明の効果】
【００１３】
本発明のインターホンによれば、複数の端子台は互いに離間して配置されており、通信方式の異なる通信線を筐体内で分離することができるので、これらの通信線同士が近接することがなくなり、通信線間に生じる通信干渉を低減し伝送性能を維持できる。
【図面の簡単な説明】
【００１４】
【図１】（ａ）は本発明の一実施形態に係るインターホンのカバー筐体とベース筐体との分解斜視図、（ｂ）は同インターホンの組立後の斜視図。
【図２】上記インターホンを用いたインターホンシステムの構成図。
【図３】上記インターホンのカバー筐体を取り外したベース筐体側を示した斜視図。
【図４】同ベース筐体側の他の構成を示す斜視図。
【図５】同ベース筐体側のさらに他の構成を示す斜視図。
【図６】同ベース筐体側のさらに他の構成を示す斜視図。
【図７】（ａ）は通信線接続の他の構成を示す斜視図、（ｂ）は同ベース筐体を背面側から視た斜視図。
【図８】上記インターホンの変形例を示す斜視図。
【図９】上記インターホンの他の変形例を示す側断面図。
【発明を実施するための形態】
【００１５】
本発明の一実施形態に係るインターホンについて図１乃至図３を参照して説明する。図１は本実施形態に係るインターホン１の構成を示す。インターホン１は、室内に取り付けて使用される通信機器であって、住戸玄関やマンション玄関ロビーに設置される複数の外部機器との間で複数の通信線を介して互いに通信方式の異なる相互通信を行なうものである。インターホン１は、複数の端子台が一列に配列された端子台ユニット２、３と、これら端子台ユニット２、３を収容する筐体４とを備えている。また、インターホン１は、スピーカ５、操作ボタン部６、映像表示部７、及びこれらを駆動させる回路を実装したプリント基板等を備えている。
【００１６】
各端子台ユニット２、３は、前記通信線が各々接続される。筐体４は、壁面に埋め込まれ固定されるベース筐体４ａと、ベース筐体４ａに組み合わされるカバー筐体４ｂから成る。ベース筐体４ａは、矩形状であり周縁に壁面固定用の枠部を有し、枠部にビス穴を有する。カバー筐体４ｂは、矩形状であり背面側の周縁に枠部を有し、その枠部の一端側に、ベース筐体の係止部４１と係合する係止部４１が形成されている。カバー筐体４ｂの係止部４１をベース筐体４ａの係止部４１に係合し、ベース筐体４ａとカバー筐体４ｂとを別途ビス止めすることにより、両者は組み合わされる。端子台ユニット２、３はベース筐体４ａ内に設けられ、スピーカ５、操作ボタン部６及び映像表示部７はカバー筐体４ｂ前面に設けられている。
【００１７】
スピーカ５は、外部機器から来訪者が発した音声を住人に伝え、また、必要に応じて、センサからの警報信号により警告音を発する。
【００１８】
操作ボタン部６は、例えば「解錠」、「メニュー」、「再生」、「留守」等の複数種のボタンから構成され、住人は映像表示部７の表示に応じて操作ボタン部６を押して要求する制御を行う。非常ボタン６ａは、火事や自己などの万一のトラブル発生時に押下され、住戸内や管理室内に警報音で異常発生を知らせる。解錠ボタンは、来客応対時に点滅し、オートロックや住戸玄関電気錠を解錠するために用いられる。また、例えば、住人が来訪者の声を聞きとりにくい場合には操作ボタン部６の音量ボタンを用いて通話中に受話音量を上げて聞きとり易くできる。
【００１９】
映像表示部７は、外部機器に備えられたカメラに写された来訪者を映すカラー液晶モニタである。住人は、映像表示部７に表示されている画像に基づいて来訪者を確認する。なお、映像表示部７は、玄関等にいる来訪者を映す以外に、住宅用火災警報器からの信号を受けて火災警報表示等することも可能である。
【００２０】
図２は、本インターホン１と外部機器とで構成されるインターホンシステムの構成を示す。インターホン１は、ドアホン子器８及びロビーインターホン９とそれぞれ通信線１０、１１を用いて接続される。ドアホン子器８は住戸玄関に設置されるものであり、ロビーインターホン９はマンション玄関ロビーに設置されるものである。インターホン１は、ドアホン子器８及びロビーインターホン９以外に、他の外部機器、例えば、室内用子器や火災警報器等が接続されていてもよい。ドアホン子器８は、呼出ボタン１２が来訪者によって押下されると、内蔵のカメラ１３を作動し撮像を開始するようになっており、住人はカメラ１３で撮像された来訪者をインターホン１の映像表示部７で確認しながらスピーカ５を介して通話を行い、解錠ボタンを押して玄関の解錠を行う。ここに、インターホン１においては、これら各外部機器との通信方式には互いに異なるものが含まれ、例えば、ドアホン子器８との通信線１０による通信には近距離用の通信方式が用いられ、ロビーインターホン９との通信線１１による通信には遠距離用の通信方式が用いられる。
【００２１】
図３は、ベース筐体４ａ内部における各端子台ユニット２、３及びこれに接続される通信線１０、１１の構成を示す。端子台ユニット２、３は、互いに離間し、かつ並列にベース筐体４ａに配置されている。端子台ユニット２は、列状に配置された複数の端子台２１、２２、２３・・・を有し、各端子台は通信方式の互いに異なる複数の通信線と接続するために用いられる。端子台ユニット３も上記同様の、複数の端子台３１、３２、３３・・・を有している。端子台ユニット２、３は、同ユニット２の一端側の端子台２１が一つの通信線１０の接続に用いられ、同ユニット３の端子台２１のある側とは反対側の一端にある端子台３１が他の通信線１１の接続に用いられる。こうして、これら端子台２１、３１は、ベース筐体４ａ内において互いに対角位置となるように配置される。各通信線１０、１１は、ベース筐体４ａの開口４２を通り、ベース筐体４ａ内において互いに干渉しないように分離して配置される。なお、各通信線１０、１１は、信号ラインとグランドラインとを有し、各端子台には、それら両ラインを接続する接続部を有する。
【００２２】
このように本実施形態に係るインターホン１においては、端子台ユニット２、３は互いに離間して配置されており、通信方式の異なる通信線１０、１１をベース筐体４ａ内で分離することができるので、これらの通信線１０、１１同士が近接することがなくなり、通信線１０、１１間に生じる通信干渉を低減し伝送性能を維持できる。
【００２３】
次に、図４を用いてインターホン１のベース筐体側の他の構成例を説明する。このインターホン１は、ベース筐体４ａの内側面に通信線１０を引っ掛ける構造を有しており、Ｌ型形状の引っ掛け部４３が、端子台ユニット２の上方であってユニット配列方向に２箇所形成されている。このインターホン１によれば、通信線１０を筐体４ａ側壁に沿わせることにより通信線１０、１１間の距離を確保でき、通信線間での通信干渉をさらに低減できる。
【００２４】
次に、図５を用いてベース筐体側のさらに他の構成例を説明する。このインターホン１は、端子台ユニット２、３の間に、通信線１０、１１を分離するための壁部として、隔壁４４が配置されている。隔壁４４は、ベース筐体４ａ底部に立設されている。このインターホン１によれば、一方の通信線１０、１１が他の通信線側に移動することを完全に遮断できるので、通信線間での通信干渉をさらに低減できる。
【００２５】
次に、図６を用いてベース筐体側のさらに他の構成例を説明する。このインターホン１は、上記隔壁４４に代えてボス４５が２箇所立設されている。このインターホン１によれば、一方の通信線１０、１１が他の通信線側に移動することを遮断でき、しかも、隔壁４４を設けるよりも省スペースで済み、インターホン１の構成部品配置の自由度を維持できる。
【００２６】
次に、図７を用いてインターホン１の通信線接続の他の構成を説明する。このインターホン１においては、ベース筐体４ａ内に端子台ユニット２、３を実装する端子台用基板４６が設けられており、端子台ユニット２の端子台２１と、端子台ユニット３の端子台３１とは、端子台用基板４６の両側に分離して実装されている。端子台２１は端子台用基板４６裏面に配置され、端子台３１は端子台用基板４６表面に配置されている。ベース筐体４ａ底部には通信線１０の通る開口４７が形成されている。このインターホン１によれば、端子台２１を基板４６裏面に配置し、通信線１０をベース筐体４ａ外側から配線するようにしたので、筐体４内で通信線１０、１１同士が近接することが防止され、伝送性能を維持できる。
【００２７】
次に、図８を用いてインターホン１の変形例について説明する。このインターホン１は、電源部１５（ＡＣ１００Ｖ）からの電源線１６と通信線１０との間に隔壁４８が設けられている。電源部１５はベース筐体４ａ下方に配置されており、電源線１６は、ベース筐体４ａの内壁面に沿って配線され、ベース筐体４ａ上方の開口から外部に導出される。隔壁４８は、ベース筐体４ａ内壁面に対向して設けられている。このインターホン１によれば、電源線１６と通信線１１との間が隔壁４７により仕切られるので、電源線１６からの電源ノイズの影響を受けることがなくなる。
【００２８】
次に、図９を用いてインターホン１の他の変形例について説明する。このインターホン１の筐体４は、上述したように、電源部１５及び端子台ユニット２、３が配置された端子台用基板４６（基板）を有したベース筐体４ａ（ベース側）と、スピーカ５、操作ボタン６（操作部）及びそれらを駆動させる回路が実装された基板４８を有してベース筐体４ａに組み合わされるカバー筐体４ｂ（カバー側）とに分割される。筐体４は、電源部１５を、ベース側基板４６と対向するカバー側の基板４９に実装された回路部品５０の位置まで覆う絶縁カバー５１を備えている。この絶縁カバー５１は、ベース側とカバー側の筐体４ａ、４ｂが組み合わされたとき、端子台２１、３１に接続された通信線１０、１１を電源部１５周辺からブロックするようになっている。このインターホン１によれば、通信線１０、１１が電源部１５周辺の空間に侵入することがなくなるので、電源部１５からの電源ノイズの影響を受けることがなく、伝送性能を維持できる。
【００２９】
なお、本発明は、上記実施の形態の構成に限られず、発明の趣旨を変更しない範囲で種々の変形が可能である。例えば、インターホンは、本図の構成のものに限られず、スピーカ、操作部等の駆動回路等がベース筐体に収容されたものや、端子台がカバー筐体に収容されたものなど、インターホン機能を有する機器全般を含む。
【符号の説明】
【００３０】
１  インターホン
２、３  端子台ユニット（複数の端子台）
２１、２２、２３・・・  端子台
３１、３２、３３・・・  端子台
４  筐体
４ａ  ベース筐体（ベース側）
６  操作ボタン（操作部）
８  ドアホン子器（外部機器）
９  ロビーインターホン（外部機器）
１０、１１  通信線
１５  電源部
１６  電源線
４３  引っ掛け部（引っ掛ける構造）
４４  隔壁（壁部）
４５  ボス（壁部）
４６  端子台用基板（ベース側の基板）
４８  隔壁
４ｂ  カバー筐体（カバー側）
４９  カバー側の基板
５０  回路部品
５１  絶縁カバー
【図１】
0005452341.tif 000002
【図２】
0005452341.tif 000003
【図３】
0005452341.tif 000004
【図４】
0005452341.tif 000005
【図５】
0005452341.tif 000006
【図６】
0005452341.tif 000007
【図７】
0005452341.tif 000008
【図８】
0005452341.tif 000009
【図９】
0005452341.tif 000010